(57)【特許請求の範囲】
【請求項１】
携帯端末本体に着せ替えパネルを着脱自在な携帯端末において、
上記携帯端末本体に形成され、上記着せ替えパネルが嵌め込まれるパネル装着用凹部と、
上記着せ替えパネルに形成された係合爪と、
上記パネル装着用凹部に形成され、上記係合爪が係合する係合穴と、
上記パネル装着用凹部に内蔵され、上記着せ替えパネルをロック部でロックするロックレバーと、
上記着せ替えパネルに形成され、上記ロックレバーのロック部が係合する被ロック部と、
上記ロック部が被ロック部から外れるのを規制する方向に上記ロックレバーを押圧する弾性部材と、
上記弾性部材の付勢力に抗して上記ロックレバーをスライドさせ、上記ロック部と被ロック部との係合を解除すると同時に、上記着せ替えパネルを押し上げるロック解除ボタンと、
上記携帯端末本体の外表面に開口し、上記ロック解除ボタンが挿入されると共に、該ロック解除ボタンの押圧部を露出させるロック解除ボタン用孔部とを備えている
ことを特徴とする携帯端末。
【請求項２】
請求項１に記載の携帯端末において、
上記着せ替えパネルは、樹脂成形品よりなるパネル本体に装飾用シートが貼り付けられたものよりなる
ことを特徴とする携帯端末。
【請求項３】
請求項２に記載の携帯端末において、
上記装飾用シートは、人工皮革、本革、木、セラミック及びカーボンからなる群から選択された材料よりなる
ことを特徴とする携帯端末。
【請求項４】
請求項２又は３に記載の携帯端末において、
上記パネル本体の裏面の上記被ロック部の近傍周縁には、引っ掛け用のテーパー面が形成されている
ことを特徴とする携帯端末。
【請求項５】
請求項１乃至４のいずれか１つに記載の携帯端末において、
上記ロック解除ボタン及びロックレバーは、ポリアセタールコポリマーで成形されている
ことを特徴とする携帯端末。
【請求項６】
請求項１乃至４のいずれか１つに記載の携帯端末において、
上記ロック解除ボタンは、金属で形成され、ロックレバーは、ポリアセタールコポリマーで成形されている
ことを特徴とする携帯端末。
【請求項７】
請求項１乃至６のいずれか１つに記載の携帯端末において、
上記弾性部材は、圧縮コイルバネよりなる
ことを特徴とする携帯端末。
【請求項８】
請求項１乃至７のいずれか１つに記載の携帯端末において、
上記ロック解除ボタンの押圧部には、押圧用凹部が形成されている
ことを特徴とする携帯端末。
【請求項９】
請求項１乃至８のいずれか１つに記載の携帯端末において、
上記着せ替えパネルは、表示部の背面に設けられている
ことを特徴とする携帯端末。
【請求項１０】
請求項１乃至９のいずれか１つに記載の携帯端末において、
上記ロックレバー側の係合穴には、板バネが突設されている
ことを特徴とする携帯端末。
【請求項１１】
請求項１乃至１０のいずれか１つに記載の携帯端末において、
携帯電話機である
ことを特徴とする携帯端末。
【発明の詳細な説明】
【技術分野】
【０００１】
本発明は、携帯端末本体に着せ替えパネルを着脱自在な携帯端末に関し、特に着せ替えパネルの着脱性を改善するものである。
【背景技術】
【０００２】
従来より、外観の着せ替え自在な携帯端末のニーズが増えてきている。このニーズに合わせて携帯端末本体に着せ替えパネルを着脱自在な携帯端末が流通している。
【０００３】
例えば、特許文献１によれば、第１及び第２の筐体を開いた第１の状態と、第１及び第２の筐体を閉じた第２の状態とを取り得る折り畳み可能に構成し、第１の筐体と第２の筐体を、第２の状態で隠蔽される内面と、この内面と対向する外面と、内面と外面の間に形成される周側面とをそれぞれ備えた扁平な箱体で構成し、内面と周側面とで一方が解放した主筐体を構成し、主筐体に対して、板状の外面の取付手段を介して着脱可能に構成し、取付手段を主筐体の周側面に設け、筐体の一部を構成する筐体面を交換することでデザインを簡単に変更することが可能な着せ替え形の携帯電話を提供している。
【特許文献１】特開平２００５−９４５３３号公報
【発明の開示】
【発明が解決しようとする課題】
【０００４】
しかしながら、特許文献１では、着せ替えパネルがビス等により固定されているので、脱着するためには常時持ち歩かないドライバーや特殊な道具等が必要となるという問題があった。また、外観に着せ替えパネル固定用のビス等が露出し、デザイン的に制約を受けたり、必ず表側からビス等の脱着をしなければならないという制約もあった。
【０００５】
本発明は、かかる点に鑑みてなされたものであり、その目的とするところは、ビスを取り外すことなく、脱着を容易に行うことができるようにすると共に、外観をよくすることにある。
【課題を解決するための手段】
【０００６】
上記の目的を達成するために、この発明では、ロックレバーを解除するロック解除ボタンの押圧部を携帯端末本体の開口から露出させるようにした。
【０００７】
具体的には、第１の発明では、携帯端末本体に着せ替えパネルを着脱自在な携帯端末を対象とし、
上記携帯端末は、
上記携帯端末本体に形成され、上記着せ替えパネルが嵌め込まれるパネル装着用凹部と、
上記着せ替えパネルに形成された係合爪と、
上記パネル装着用凹部に形成され、上記係合爪が係合する係合穴と、
上記パネル装着用凹部に内蔵され、上記着せ替えパネルをロック部でロックするロックレバーと、
上記着せ替えパネルに形成され、上記ロックレバーのロック部が係合する被ロック部と、
上記ロック部が被ロック部から外れるのを規制する方向に上記ロックレバーを押圧する弾性部材と、
上記弾性部材の付勢力に抗して上記ロックレバーをスライドさせ、上記ロック部と被ロック部との係合を解除すると同時に、上記着せ替えパネルを押し上げるロック解除ボタンと、
上記携帯端末本体の外表面に開口し、上記ロック解除ボタンが挿入されると共に、該ロック解除ボタンの押圧部を露出させるロック解除ボタン用孔部とを備えている。
【０００８】
上記の構成によると、着せ替えパネルをパネル装着用凹部に嵌め込むと、着せ替えパネルの係合爪がパネル装着用凹部の係合穴に係合すると共に、弾性部材がロックレバーを押圧することにより、ロック部が被ロック部を確実にロックするので、通常使用時に誤って着せ替えパネルが外れることはない。一方、着せ替え時には、携帯端末本体の外表面に設けたロック解除ボタン用孔部から露出するロック解除ボタンの押圧部を筆記具の先端などで押圧することで、弾性部材を押し戻しながらロック部によるロックを解除すると同時に着せ替えパネルが押し上げられる。このように、身近な筆記具などを利用してロック解除ボタンの押圧部を押圧するだけで、ロック部と被ロック部との係合が解除されると共に着せ替えパネルが浮き上がるので、着せ替えパネルの取り外しが、ビス等を特殊な工具を用いて外すことなく容易に行われる。また、ロックレバー及びロック解除ボタンがパネル装着用凹部に内蔵されて外観に現れないので、見映えがよい。
【０００９】
第２の発明では、第１の発明において、
上記着せ替えパネルは、樹脂成形品よりなるパネル本体に装飾用シートが貼り付けられたものよりなる。
【００１０】
上記の構成によると、パネル本体は、樹脂成形品であるので、軽量で成形が容易であると共に、適度に変形するので着脱がし易く、着せ替えパネルのベースとして適している。一方、パネル本体に装飾用シートを貼り付けるようにしているので、パネル本体は１つの型で成形でき、その共通のパネル本体に様々な種類の装飾用シートを貼り付けるようにすれば、ユーザの好みに応じた多種多様の着せ替えパネルを容易かつ安価に製造することができる。
【００１１】
第３の発明では、第２の発明において、
上記装飾用シートは、人工皮革、本革、木、セラミック及びカーボンからなる群から選択された材料よりなる
ことを特徴とする携帯端末。
【００１２】
上記の構成によると、ユーザの好みに応じた手触りと外観の装飾用シートが選択可能である。
【００１３】
第４の発明では、第２又は第３の発明において、
上記パネル本体の裏面の上記被ロック部の近傍周縁には、引っ掛け用のテーパー面が形成されている。
【００１４】
上記の構成によると、ロック解除ボタンを押圧して着せ替えパネルが浮き上がったときに、引っ掛け用のテーパー面に筆記部や指の先端を挿入することにより、着せ替えパネルの取り外しが容易に行われる。
【００１５】
第５の発明では、第１乃至第４のいずれか１つの発明において、
上記ロック解除ボタン及びロックレバーは、ポリアセタールコポリマーで成形されている。
【００１６】
上記の構成によると、ポリアセタールコポリマーは結晶性が高く、熱可塑性のあるエンジニアリングプラスチックの一種で、バランスのとれた機械的性質を持ち、耐疲労性と耐摩擦摩耗特性に優れているので、繰り返し着せ替えパネルを着脱することによるロック解除ボタン及びロックレバーの損傷が防止される。
【００１７】
第６の発明では、第１乃至第４のいずれか１つの発明において、
上記ロック解除ボタンは、金属で形成され、ロックレバーは、ポリアセタールコポリマーで成形されている。
【００１８】
上記の構成によると、ロック解除ボタンを金属で構成することで剛性及び耐久性が向上し、先の尖ったもので操作しても傷が付き難い。また、ポリアセタールコポリマーは結晶性が高く、熱可塑性のあるエンジニアリングプラスチックの一種で、バランスのとれた機械的性質を持ち、耐疲労性と耐摩擦摩耗特性に優れているので、繰り返し着せ替えパネルを着脱することによるロックレバーの損傷が防止される。
【００１９】
第７の発明では、第１乃至第６のいずれか１つの発明において、
上記弾性部材は、圧縮コイルバネよりなる。
【００２０】
上記の構成によると、簡単な構成で耐久性のある弾性部材が得られる。
【００２１】
第８の発明では、第１乃至第７のいずれか１つの発明において、
上記ロック解除ボタンの押圧部には、押圧用凹部が形成されている。
【００２２】
上記の構成によると、押圧用凹部に筆記具や爪楊枝の先端を差し込んだときに、筆記具や爪楊枝の先端が押圧用凹部から外れにくくなるので、ロック解除ボタンが押しやすい。
【００２３】
第９の発明では、第１乃至第８のいずれか１つの発明において、
上記着せ替えパネルは、表示部の背面に設けられている。
【００２４】
上記の構成によると、表示部の背面側は、カメラなどが設けられることが少ないので、背面側全体を着せ替えパネルとすることが可能であり、着せ替えパネルの構成が簡単なものとなる。
【００２５】
第１０の発明では、第１乃至第９のいずれか１つの発明において、
上記ロックレバー側の係合穴には、板バネが突設されている。
【００２６】
上記の構成によると、携帯端末本体と別部品の板バネを設けることで、パネル保持力が容易に調整可能となる。また、板バネの付勢力により、パネル装着用凹部の中で着せ替えパネルが、がたつくことはない。さらに、着せ替えパネルを押し上げた後に、板バネの突部に係合爪が乗り上げるので、着せ替えパネルがパネル装着用凹部に戻ることなく、ロック解除状態が保持され、着せ替えパネルの取り外しが容易になる。
【００２７】
第１１の発明では、第１乃至第１０のいずれか１つの発明において、
携帯端末は、携帯電話機とする。
【００２８】
上記の構成によると、頻繁に携帯する携帯電話機の外観をＴＰＯに合わせて着せ替えすることができるので、その商品性が格段に向上する。
【発明の効果】
【００２９】
以上説明したように、本発明によれば、着せ替えパネルをパネル装着用凹部にロックするロックレバーと、弾性部材の付勢力に抗してロックレバーをスライドさせ、ロック部と被ロック部との係合を解除すると同時に、着せ替えパネルを押し上げるロック解除ボタンとを設け、このロック解除ボタンを携帯端末本体の外表面に開口するロック解除ボタン用孔部に挿入し、その押圧部を露出させるようにしたことにより、押圧部を押圧すれば、ロック解除ボタンが、ロック部と被ロック部との係合の解除と、着せ替えパネルをパネル装着用凹部から取り外すことの２つの動作を同時に行うので、ビスを取り外すことなく、筆記具などの身近な道具を利用して着せ替えパネルの脱着を容易に行うことができると共に、着せ替えパネルをロックする機構が外観に現れないので、見映えを向上させることができる。
【発明を実施するための最良の形態】
【００３０】
以下、本発明の実施形態を図面に基づいて説明する。
【００３１】
図１乃至図３は本発明の実施形態の携帯端末としての携帯電話機１を示し、この携帯電話機１は、表示部２を有する第１の筐体３と、操作部４を有する第２の筐体５とが、ヒンジ部６を中心に折り畳み開閉自在に構成されている。第１の筐体３は、携帯端末本体としての矩形状の表示部側キャビネット７を備え、この表示部側キャビネット７は、樹脂成形品やマグネシウム合金等よりなる。表示部側キャビネット７の表面側は、表示部２を保護する透明な表示部カバー２ａで覆われている。表示部側キャビネット７の背面側は、着せ替えパネル１０で覆われている。
【００３２】
図４〜図７に図３に示す携帯電話機１の（ａ）着せ替えパネル１０を装着したときと、（ｂ）着せ替えパネルを押し上げたときの側方から見た拡大側面図又は断面図を示す。図９及び図１０に図８に示した断面で切断したときの、（ａ）着せ替えパネル１０を装着したときと、（ｂ）着せ替えパネルを押し上げたときの下方から見た拡大断面図を示す。図１１に着せ替えパネルの分解平面図を示す。
【００３３】
図１１に示すように、着せ替えパネル１０は、ポリカーボネイト（ＰＣ）やＡＢＳ樹脂を材料とする樹脂成形品よりなる略矩形状のパネル本体１１に装飾用シート１２が貼り付けられたものよりなる。なお、図２では、装飾用シート１２は省略している。パネル本体１１は、樹脂成形品であるので、軽量で成形が容易であると共に、適度に変形するので着脱がし易く、着せ替えパネル１０のベースとして適している。装飾用シート１２は、例えば、人工皮革、本革、木、セラミック、カーボンなどからなり、その裏面側に両面テープ（図示せず）が貼り付けられている。このように、パネル本体１１に装飾用シート１２を貼り付けるようにしているので、パネル本体１１は１つの型で成形でき、その共通のパネル本体１１に様々な種類の装飾用シート１２を貼り付けるようにすれば、ユーザの好みに応じた多種多様の触りと外観の着せ替えパネル１０を容易かつ安価に製造することができる。
【００３４】
着せ替えパネル１０は、表示部側キャビネット７の背面側に形成した略矩形状のパネル装着用凹部８に嵌め込まれている。着せ替えパネル１０は、カメラなどが設けられることが少ない表示部２の背面に設けられているので、背面側のほぼ全体を着せ替えパネル１０とすることが可能であり、着せ替えパネル１０の構成が簡単なものとなっている。
【００３５】
パネル装着用凹部８には、複数の（本実施形態では、６つの）係合穴９，１９が形成されている。これに対応して、図１２にも示すように、パネル本体１１には、係合穴９，１９に係合する係合爪１３，１３が突出して形成されている。具体的には、図９に示すように、右側の２つの係合穴１９には、金属製の板バネ２０がパネル装着用凹部８の表面から突出するように設けられ、これに対応する係合爪２３に設けた凹みに板バネ２０の突部が嵌合するようになっている。このように、表示部側キャビネット７と別部品の板バネ２０を設けることで、着せ替えパネル１０の保持力が容易に調整可能となっている。また、図１０に示すように、係合爪１３と係合穴９とが互いに係合するようになっている。
【００３６】
パネル装着用凹部８には、ロックレバー挿入用開口１４が貫通形成されている。このロックレバー挿入用開口１４内には、図１３に示すロックレバー１５が内蔵されている。このロックレバー１５は、軸部１５ａと、この軸部１５ａから垂直に延びるロック部１５ｂとを備え、軸部１５ａが表示部側キャビネット７の上下方向に延び、ロック部１５ｂが表示部側キャビネット７の表裏方向に延びるように配置されている。また、ロックレバー１５は、表示部側キャビネット７の上下方向にスライド可能なように配置されると共に、ロック部１５ｂの先端で着せ替えパネル１０をロック可能に構成されている。
【００３７】
図７で拡大して示すように、パネル本体１１には、ロックレバー１５のロック部１５ｂが係合する被ロック部１１ａが形成されている。また、図５に示すように、ロックレバー挿入用開口１４の内部には、ロック部１５ｂが被ロック部１１ａから外れるのを規制する方向（つまり表示部側キャビネット７の上方向）にロックレバー１５を押圧する弾性部材としての圧縮コイルバネ１６が内蔵されている。圧縮コイルバネ１６は、簡単な構成で耐久性があるため、弾性部材として適している。また、巻き数を調整することで、表示部側キャビネット７の厚みを厚くすることなく、バネ定数を増加させることができる。
【００３８】
表示部側キャビネット７の外表面には、ロック解除ボタン用孔部１７が開口している。正確には、表示部カバー２ａにロック解除ボタン用孔部１７が開口し、このロック解除ボタン用孔部１７は、ロックレバー挿入用開口１４に連通している。ロック解除ボタン用孔部１７の内部には、圧縮コイルバネ１６の付勢力に抗してロックレバー１５をスライドさせると共に、着せ替えパネル１０を押し上げるロック解除ボタン１８が内蔵されている。ロック解除ボタン用孔部１７からロック解除ボタン１８の円柱状の押圧部が露出している。図１４に示すように、ロック解除ボタン１８の押圧部の先端には、丸く押圧用凹部１８ａが凹陥されている。押圧用凹部１８ａの反対側には、ロック部１５ｂを押し上げて被ロック部１１ａとの係合を解除させるレバー押圧部１８ｂが突設されている。レバー押圧部１８ｂは、被ロック部１１ａを押し上げる直方体状の押上部１８ｃの表面の一部から突出している。
【００３９】
上記パネル本体１１の裏面の上記被ロック部１１ａの近傍の角部には、扇状に薄肉となるようにテーパー面１１ｂが形成されている。このことで、ロック解除ボタン１８を押圧して着せ替えパネル１０が浮き上がったときに、テーパー面１１ｂに筆記部や指の先端を挿入することにより、着せ替えパネル１０の取り外しが容易に行われるようになっている。テーパー面１１ｂの位置は、必ずしも角部でなくてもよく、角部からある程度ずれたパネル本体１１の周縁でもよい。また、その形状は扇状に限定されず、三角形等でもよく、要は筆記部や指の先端を引っ掛け易くする形状であればよい。
【００４０】
ロック解除ボタン１８及びロックレバー１５は、ポリアセタールコポリマーで成形されている。ポリアセタールコポリマーは結晶性が高く、熱可塑性のあるエンジニアリングプラスチックの一種で、バランスのとれた機械的性質を持ち、耐疲労性と耐摩擦摩耗特性に優れているので、繰り返し着せ替えパネル１０を着せ替えることによるロック解除ボタン１８及びロックレバー１５の損傷が防止される。
【００４１】
−着せ替えパネルの着脱方法−
次に、本実施形態にかかる着せ替えパネルの着脱方法について説明する。
【００４２】
着せ替えパネル１０を取り付けるときには、まず、図２に示すように、着せ替えパネル１０の左側の係合爪１３をパネル装着用凹部８の係合穴９に係合させた後、右側の係合爪１３をパネル装着用凹部８の係合穴９に係合させながら、着せ替えパネル１０をパネル装着用凹部８に嵌め込む。この装着状態では、図９（ａ）に示すように、係合爪２３に設けた凹みに板バネ２０の突部が嵌合することで、着せ替えパネルが左右方向に固定されるので、パネル装着用凹部８の中で着せ替えパネル１０が、がたつかない。また、図１０（ａ）に示すように、係合爪１３が係合穴９に係合する。また、図７（ａ）に示すように、被ロック部１１ａの下面がロック部１５ｂのテーパを押圧し、図５（ａ）に示すように、圧縮コイルバネ１６を押し戻しながら、ロックレバー１５を下方へ移動させる。被ロック部１１ａがロック部１５ｂを越えると、ロックレバー１５が圧縮コイルバネ１６に押されて元に戻り、ロック部１５ｂが被ロック部１１ａに係合する。このように、圧縮コイルバネ１６がロックレバー１５を押圧することにより、ロック部１５ｂが被ロック部１１ａを確実にロックするので、通常使用時に誤って着せ替えパネル１０が外れることはない。
【００４３】
一方、着せ替え時には、まず、図３に示す表示部側キャビネット７の外表面に設けたロック解除ボタン用孔部１７から露出するロック解除ボタン１８の押圧用凹部１８ａを筆記具の先端などで押圧する。すると、図６に示すように、突出するレバー押圧部１８ｂがロック部１５ｂの先端裏面側を押圧してロックレバー１５を白矢印の方向へ移動させる。このとき、図５（ｂ）に示すように、軸部１５ａが圧縮コイルバネ１６を押し戻しながら移動し、図７（ｂ）に示すように、ロック部１５ｂと被ロック部１１ａとのロックが解除される。ロック解除ボタン１８の押圧部には、押圧用凹部１８ａが形成されているので、押圧用凹部１８ａに筆記具や爪楊枝の先端を差し込んだときに、筆記具や爪楊枝の先端が押圧用凹部１８ａから外れにくくなるので、ロック解除ボタン１８が押しやすい。
【００４４】
その後、さらに押上部１８ｃが被ロック部１１ａを押し上げるので、着せ替えパネル１０が押し上げられる。すると、図７（ｂ）に示すように、着せ替えパネル１０が押し出される途中から着せ替えパネル１０を押し上げる方向に板バネ２０が係合爪２３を付勢するので、着せ替えパネル１０が容易に外れる。着せ替えパネル１０が外れた後は、板バネ２０の突部に係合爪２３が乗り上げるので、着せ替えパネル１０がパネル装着用凹部８に戻ることなく、ロック解除状態が保持される。そして、テーパー面１１ｂと表示部側キャビネット７との間に隙間ができるので、その隙間に指の先端などを挿入することで、着せ替えパネル１０の取り外しが可能となる。
【００４５】
このように、身近な筆記具などを利用してロック解除ボタン１８の押圧用凹部１８ａを押圧するだけで、ロック部１５ｂと被ロック部１１ａとのロックの解除と、着せ替えパネル１０をパネル装着用凹部８から取り外すという２つの動作を同時に行うので、着せ替えパネル１０の取り外しが特殊な工具を用いることなく極めて容易に行われる。
【００４６】
最後に着せ替えパネル１０を交換して再び上記と同様に取り付けることによって着せ替えが行われる。
【００４７】
−実施形態の効果−
したがって、本実施形態にかかる携帯電話機１によると、着せ替えパネル１０をパネル装着用凹部８にロックするロックレバー１５と、圧縮コイルバネ１６の付勢力に抗してロックレバー１５をスライドさせ、ロック部１５ｂと被ロック部１１ａとの係合を解除すると同時に、着せ替えパネル１０を押し上げるロック解除ボタン１８とを設け、このロック解除ボタン１８を表示部側キャビネット７の外表面に開口するロック解除ボタン用孔部１７に挿入し、その押圧用凹部１８ａを露出させるようにしたことにより、押圧用凹部１８ａを押圧すれば、ロック解除ボタン１８が、ロック部１５ｂと被ロック部１１ａとの係合の解除と、着せ替えパネル１０をパネル装着用凹部８から取り外すことの２つの動作を同時に行うので、ビスを取り外すことなく、筆記具などの身近な道具を利用して着せ替えパネル１０の脱着を容易に行うことができると共に、着せ替えパネル１０をロックする機構が外観に現れないので、見映えを向上させることができる。
【００４８】
（その他の実施形態）
本発明は、上記実施形態について、以下のような構成としてもよい。
【００４９】
上記実施形態では、着せ替えパネル１０の着せ替えを筆記具の先端などで行えるようにしているが、ロック解除ボタン用孔部１７に挿入してロック解除ボタン１８を押圧する突起部と、パネル本体１１のテーパー面１１ｂに差し込んで着せ替えパネル１０を剥がす薄肉部とを備えた専用工具を備品として備えるようにしてもよい。このことで、着せ替えパネル１０と同時に持ち歩いている専用工具を利用し、ロック解除ボタン１８を突起部で押圧し、浮き上がった着せ替えパネル１０のテーパー面１１ｂを薄肉部で押し上げることにより、着せ替えパネル１０の取り外しが確実かつ容易に行われる。
【００５０】
上記実施形態では、ロック解除ボタン１８をポリアセタールコポリマーで成形したが、金属で成形してもよい。このことで、ロック解除ボタン１８の剛性及び耐久性が向上し、先の尖ったもので操作しても傷が付き難くなる。
【００５１】
上記実施形態では、携帯端末は、携帯電話機としたが、ＰＨＳ、ＰＤＡ、ＰＣ、モバイルツール、電子辞書、電卓、複写機等であってもよい。
【００５２】
なお、以上の実施形態は、本質的に好ましい例示であって、本発明、その適用物や用途の範囲を制限することを意図するものではない。
【図面の簡単な説明】
【００５３】
【図１】本発明の実施形態にかかる携帯電話機を背面側から見た斜視図である。
【図２】着せ替えカバーをパネル装着用凹部に装着する様子を示す斜視図である。
【図３】携帯電話機の正面図である。
【図４】図３をIV方向から見た拡大矢視図であり、（ａ）が着せ替えパネルの装着時を（ｂ）が取り外し時を示す。
【図５】図３のＶ−Ｖ線拡大断面図であり、（ａ）が着せ替えパネルの装着時を（ｂ）が取り外し時を示す。
【図６】図３のVI−VI線拡大断面図であり、（ａ）が着せ替えパネルの装着時を（ｂ）が取り外し時を示す。
【図７】図３のVII−VII線拡大断面図であり、（ａ）が着せ替えパネルの装着時を（ｂ）が取り外し時を示す。
【図８】携帯電話機の背面図である。
【図９】図８のIX−IX線拡大断面図であり、（ａ）が着せ替えパネルの装着時を（ｂ）が取り外し時を示す。
【図１０】図８のＸ−Ｘ線拡大断面図であり、（ａ）が着せ替えパネルの装着時を（ｂ）が取り外し時を示す。
【図１１】着せ替えパネルと表面側キャビネットとの分解斜視図である。
【図１２】パネル本体を示し、（ａ）が側面図で、（ｂ）が正面図である。
【図１３】ロックレバーを示し、（ａ）が側面図で、（ｂ）が正面図で、（ｃ）が斜視図である。
【図１４】ロック解除ボタンを示し、（ａ）が側面図で、（ｂ）が正面図で、（ｃ）が斜視図である。
【符号の説明】
【００５４】
１      携帯電話機（携帯端末）
７      表示部側キャビネット（携帯端末本体）
８      パネル装着用凹部
９，１９      係合穴
１０      着せ替えパネル
１１      パネル本体
１１ａ    被ロック部
１１ｂ    テーパー面
１２      装飾用シート
１３，２３      係合爪
１５      ロックレバー
１５ｂ    ロック部
１６      圧縮コイルバネ（弾性部材）
１７      ロック解除ボタン用孔部
１８      ロック解除ボタン
１８ａ    押圧用凹部
２０      板バネ
【図１】
0004758447.tif 000002
【図２】
0004758447.tif 000003
【図３】
0004758447.tif 000004
【図４】
0004758447.tif 000005
【図５】
0004758447.tif 000006
【図６】
0004758447.tif 000007
【図７】
0004758447.tif 000008
【図８】
0004758447.tif 000009
【図９】
0004758447.tif 000010
【図１０】
0004758447.tif 000011
【図１１】
0004758447.tif 000012
【図１２】
0004758447.tif 000013
【図１３】
0004758447.tif 000014
【図１４】
0004758447.tif 000015